(57)【要約】【課題】会話できない状況にあることを言葉によらずに相手に知らせることができる給湯機用リモートコントローラを得ること。【解決手段】他の給湯機用リモートコントローラ１００Ｂとの間でインターホン機能により双方向通話可能な給湯機用リモートコントローラ１００Ａを構成するにあたり、通話要求の送信が指示されたときに他の給湯機用リモートコントローラに通話要求を送信する通話要求管理部ＲＭと、他の給湯機用リモートローラから通話要求があったときに報知する通話要求報知部９３，９５ｂと、インターホン機能の保留が指示されたときにインターホン機能を保留状態にすると共に他の給湯機用リモートローラに保留通知を送信する保留管理部ＨＭと、他の給湯機用リモートローラから保留通知があったときに報知する保留報知部９３，９５ｂとを設ける。【選択図】        図３
2010139228.tif 000002
【特許請求の範囲】
【請求項１】
湯を沸き上げて所定の給湯先に供給する給湯機本体と通信することができると共に、前記給湯機本体と通信する他の給湯機用リモートコントローラとの間でインターホン機能により互いに双方向通話可能な給湯機用リモートコントローラであって、
前記双方向通話の開始を求める通話要求の送信を指示する通話要求入力スイッチと、
前記インターホン機能の保留を指示する保留指示入力スイッチと、
前記通話要求入力スイッチにより通話要求の送信が指示されたときに、前記他の給湯機用リモートコントローラに通話要求を送信する通話要求管理部と、
前記他の給湯機用リモートローラから通話要求があったときに、該通話要求があったことを報知する通話要求報知部と、
前記保留指示入力スイッチによりインターホン機能の保留が指示されたときに、前記インターホン機能を保留状態にすると共に前記インターホン機能が保留状態にあることを示す保留通知を前記他の給湯機用リモートローラに送信する保留管理部と、
前記他の給湯機用リモートローラから保留通知があったときに、前記他の給湯機用リモートローラのインターホン機能が保留状態にあることを報知する保留報知部と、
を備えていることを特徴とする給湯機用リモートコントローラ。
【請求項２】
前記通話要求報知部は、前記他の給湯機用リモートローラから通話要求があったことを視覚表示および音の少なくとも一方で報知することを特徴とする請求項１に記載の給湯機用リモートコントローラ。
【請求項３】
前記保留報知部は、前記他の給湯機用リモートローラから保留通知があったことを視覚表示および音の少なくとも一方で報知することを特徴とする請求項１または２に記載の給湯機用リモートコントローラ。
【請求項４】
前記通話要求報知部が報知動作を行っているときには前記保留指示入力スイッチとして機能し、前記通話要求報知部が報知動作を行っていないときにはインターホン機能の保留指示以外の指示を入力することができる複数の入力スイッチを有することを特徴とする請求項１〜３のいずれか１つに記載の給湯機用リモートコントローラ。
【請求項５】
前記通話要求報知部が報知動作を行っていないときに特殊操作されると前記保留指示入力スイッチとして機能する入力スイッチを有することを特徴とする請求項１〜４のいずれか１つに記載の給湯機用リモートコントローラ。
【請求項６】
湯を沸き上げて所定の給湯先に供給する給湯機本体と、該給湯機本体と通信すると共にインターホン機能により互いに双方向通話可能な複数台の給湯機用リモートコントローラとを備えた給湯機であって、
前記複数台の給湯機用リモートコントローラの各々は、請求項１〜５のいずれかに記載の給湯機用リモートコントローラであることを特徴とする給湯機。
【発明の詳細な説明】
【技術分野】
【０００１】
本発明は給湯機用リモートコントローラおよびこれを備えた給湯機に係り、特にインターホン機能を有する給湯機用リモートコントローラおよびこれを備えた給湯機に関する。
【背景技術】
【０００２】
今日では、入浴中の事故等を考慮して、インターホン機能を有する複数台の給湯機用リモートコントローラを備えた給湯機が開発されている。該給湯機では、例えば浴室に設置した給湯機用リモートコントローラと台所に設置した給湯機用リモートコントローラ等、給湯機用リモートコントローラ間での通話が可能であり、一方の給湯機リモートコントローラで所定の操作により呼出しを行うと他方の給湯機用リモートコントローラのインターホン機能が自動的に起動されて、双方向通話が可能になる。通話終了後に回線を切断し忘れて回線が開通したままとなるのを防止するために通話時間を固定した給湯機用リモートコントローラも開発されているが、例えば特許文献１に記載されたリモートコントローラ（遠隔操作装置）のように、ユーザが通話時間を任意に変更することができるリモートコントローラも開発されている。
【０００３】
【特許文献１】特開２００１−３３９５２３号公報
【発明の開示】
【発明が解決しようとする課題】
【０００４】
インターホン機能を有する従来の給湯機用リモートコントローラは、上述のように、一方の給湯機用リモートコントローラで呼出しを行うと他方の給湯機用リモートコントローラのインターホン機能が自動的に起動されるため、例えば呼出先の人がシャワー中やシャンプー中ですぐには会話することができない状況下にあるときでも、給湯機用リモートコントローラ自体は通話可能な状態になる。呼出元の人からすると、給湯機用リモートコントローラが通話可能な状態になっているにも拘わらず返事がないという事態になるため、事故が起きたのではないかと浴室まで直接確認しに行かなくてはならないことがある。
【０００５】
本発明は上記の事情に鑑みてなされたものであり、会話できない状況にあることを言葉によらずとも相手に知らせることができる給湯機用リモートコントローラおよびこれを備えた給湯機を得ることを目的とする。
【課題を解決するための手段】
【０００６】
上記の目的を達成する本発明の給湯機用リモートコントローラは、湯を沸き上げて所定の給湯先に供給する給湯機本体と通信することができると共に、給湯機本体と通信する他の給湯機用リモートコントローラとの間でインターホン機能により互いに双方向通話可能な給湯機用リモートコントローラであって、双方向通話の開始を求める通話要求の送信を指示する通話要求入力スイッチと、インターホン機能の保留を指示する保留指示入力スイッチと、通話要求入力スイッチにより通話要求の送信が指示されたときに、他の給湯機用リモートコントローラに通話要求を送信する通話要求管理部と、他の給湯機用リモートローラから通話要求があったときに、通話要求があったことを報知する通話要求報知部と、保留指示入力スイッチによりインターホン機能の保留が指示されたときに、インターホン機能を保留状態にすると共にインターホン機能が保留状態にあることを示す保留通知を他の給湯機用リモートローラに送信する保留管理部と、他の給湯機用リモートローラから保留通知があったときに、他の給湯機用リモートローラのインターホン機能が保留状態にあることを報知する保留報知部とを備えていることを特徴とする。
【発明の効果】
【０００７】
本発明の給湯機用リモートコントローラでは、保留指示入力スイッチからインターホン機能の保留を指示すると、インターホン機能が保留状態にあることが他の給湯機用リモートローラで報知されるので、会話できない状況にあることを言葉によらずとも通話相手に知らせることができる。通話要求入力スイッチを操作しても通話相手から返事がないときに通話相手側のインターホン機能が保留中であると報知されれば、通話相手の無事を確認することができる。したがって、本発明によれば、通話相手と会話できないときに通話相手に事故が起きたのではないかと勘違いして通話先まで直接確認しに行くということが起こり難くなる。
【発明を実施するための最良の形態】
【０００８】
以下、本発明の給湯機用リモートコントローラおよび給湯機それぞれの実施の形態について、図面を参照して詳細に説明する。なお、本発明は以下に説明する実施の形態に限定されるものではない。
【０００９】
図１は、本発明の給湯機の一例を示す概略図である。同図に示す給湯機１１０は、水を湯に沸き上げて所望箇所に給湯する機能と、温水式床暖房装置や浴槽１５０等の外部負荷設備で用いられて温度低下した湯を再加熱する機能とを有するものであり、ヒートポンプユニット１０と、貯湯タンク２０や本体側制御装置８０等を有する給湯機本体９０と、２台の給湯機用リモートコントローラ１００Ａ，１００Ｂ（以下、単に「リモートコントローラ１００Ａ」、「リモートコントローラ１００Ｂ」という）とを備えている。以下、給湯機１１０の各構成要素について説明する。
【００１０】
上記のヒートポンプユニット１０は、二酸化炭素等を冷媒として用いた冷凍サイクルシステム（図示せず）を有し、給湯機本体９０中の貯湯タンク２０に貯留された低温水を湯に沸き上げる熱源機として機能する。
【００１１】
一方、給湯機本体９０は貯湯タンク２０、給水管路３０、加熱循環管路４０、給湯管路５０、放熱側循環管路６０、負荷側循環管路７０、再加熱用熱交換器７５、本体側制御装置８０等を有している。上記の貯湯タンク２０は、給水管路３０から供給される低温水を貯留すると共にヒートポンプユニット１０で沸き上げられた湯を貯留する。この貯湯タンク２０の下部には給水管路３０、加熱循環管路４０の往き管４０ａ、および放熱側循環管路６０の戻り管６０ｂが接続され、上部には加熱循環管路４０の戻り管４０ｂ、給湯管路５０、および放熱側循環管路６０の往き管６０ａが接続される。
【００１２】
給水管路３０は、市水等の低温水を貯湯タンク２０および給湯管路５０中の第１〜第２混合弁４３ａ，４３ｂに供給する管路であり、減圧弁（図示せず）と第１〜第３給水管部３０ａ〜３０ｃとを有している。減圧弁は、第１給水管部３０ａの途中に設けられて、水道等の水源（図示せず）からの低温水の水圧を所定値に減じる。第１給水管部３０ａは水源と貯湯タンク２０とを繋ぎ、第２給水管部３０ｂは第１給水管部３０ａから分岐して該第１給水管部３０ａと第１混合弁４３ａとを繋ぎ、第３給水管部３０ｃは第１給水管部３０ａから分岐して該第１給水管部３０ａと第２混合弁４３ｂとを繋ぐ。図示の例では、給湯先の例として１つの給湯栓１６０が示されている。給水管路３０での低温水の流れ方向を図１中に実線の矢印Ａで示してある。
【００１３】
加熱循環管路４０は、貯湯タンク２０の下部からヒートポンプユニット１０中の放熱器（熱交換器；図示せず）を経由して貯湯タンク２０の上部に達する管路であり、第１温度センサ３３と循環ポンプ３５とが設けられた往き管４０ａ、および戻り管４０ｂを有している。往き管４０ａは貯湯タンク２０の下部と上記放熱器とを繋ぎ、戻り管４０ｂは上記放熱器と貯湯タンク２０の上部とを繋ぐ。第１温度センサ３３は、往き管４０ａを流れる水の温度を検知する。ヒートポンプユニット１０および循環ポンプ３５を起動させると、貯湯タンク２０下部の低温水が往き管４０ａに流入し、上記放熱器での熱交換により湯に沸き上げられた後に戻り管４０ｂを通って貯湯タンク２０の上部に戻される。加熱循環管路４０での湯水の流れ方向を図１中に実線の矢印Ｂで示してある。
【００１４】
給湯管路５０は、貯湯タンク２０に貯留された湯と第１給水管部３０ａまたは第２給水管部３０ｂからの低温水とを電動式の第１または第２混合弁４３ａ，４３ｂで混合して所定温度の湯を調製し、該湯を浴槽１５０等の外部負荷設備や給湯栓１６０等の給湯先に供給する。この給湯管路５０は、上記第１混合弁４３ａおよび第２混合弁４３ｂの他に第２温度センサ４５、電動式の注水弁４７、流量センサ４９、および第１〜第３給湯管部５０ａ〜５０ｃを有している。
【００１５】
上記の第１給湯管部５０ａは貯湯タンク２０の上部と第１〜第２混合弁４３ａ，４３ｂとを繋ぎ、第２給湯管部５０ｂは第１混合弁４３ａと負荷側循環管路７０での戻り管７０ｂとを繋ぎ、第３給湯管部５０ｃは第２混合弁４３ｂと給湯栓１６０とを繋ぐ。第２温度センサ４５は第２給湯管部５０ｂを流れる湯水の温度を検知し、注水弁４７は第２給湯管部５０ｂでの湯水の流量を調整し、流量センサ４９は第２給湯管部５０ｂでの湯水の流量を検知する。給湯管路５０での湯水の流れ方向を図１中に実線の矢印Ｃで示してある。
【００１６】
放熱側循環管路６０は、貯湯タンク２０の上部から再加熱用熱交換器７５を経由して貯湯タンク２０の下部に達する管路であり、往き管６０ａと、放熱側循環ポンプ５５が設けられた戻り管６０ｂとを有している。往き管６０ａは貯湯タンク２０の上部と再加熱用熱交換器７５の上部とを繋ぎ、戻り管６０ｂは再加熱用熱交換器７５の下部と貯湯タンク２０の下部とを繋ぐ。放熱側循環ポンプ５５を起動させると、貯湯タンク２０上部の湯が往き管６０ａに流入し、再加熱用熱交換器７５および戻り管６０ｂを経由して貯湯タンク２０の下部に戻る。放熱側循環管路６０での湯水の流れ方向を図１中に実線の矢印Ｄで示してある。
【００１７】
負荷側循環管路７０は、浴槽１５０から再加熱用熱交換器７５を経由して再び浴槽１５０に戻る管路であり、負荷側循環ポンプ６５が設けられた往き管７０ａと、戻り管７０ｂとを有している。往き管７０ａは浴槽１５０と再加熱用熱交換器７５とを繋ぎ、戻り管７０ｂは再加熱用熱交換器７５と浴槽１５０とを繋ぐ。負荷側循環ポンプ６５を起動させると、浴槽１５０内の浴水１５０ａが往き管７０ａに流入し、再加熱用熱交換器７５および戻り管７０ｂを経由して浴槽１５０に戻る。負荷側循環管路７０での湯水の流れ方向を図１中に実線の矢印Ｅで示してある。なお、浴槽１５０内には浴槽アダプタ１４５が取り付けられ、上記の往き管７０ａおよび戻り管７０ｂの各々は当該浴槽アダプタ１４５に接続される。
【００１８】
再加熱用熱交換器７５は、放熱側循環管路６０を流れる湯と負荷側循環管路７０を流れる浴水１５０ａとの間で熱交換を行って浴水１５０ａを加熱する。この再加熱用熱交換器７５としてプレート式の熱交換器を用いると熱交換効率を高め易くなり、結果として貯湯タンク２０に戻す湯の温度を低下させ易くなる。
【００１９】
本体側制御装置８０は、本体側制御部８０ａと本体側記憶部８０ｂとを有しており、各リモートコントローラ１００Ａ，１００Ｂに有線接続または無線接続されて該リモートコントローラ１００Ａ，１００Ｂと通信する。そして、本体側制御部８０ａは、リモートコントローラ１００Ａ，１００Ｂからユーザが入力した湯張り運転開始指令、追焚き運転開始指令等の指令や、リモートコントローラ１００Ａ，１００Ｂからユーザが入力して本体側記憶部８０ｂに格納された沸上げ開始時刻、沸上げ温度、湯張り温度、湯張り湯量、給湯温度等の情報や、第１温度センサ３３、第２温度センサ４５、流量センサ４９等のセンサの検出結果等に基づいて、各構成部材の動作を制御する。具体的には、ヒートポンプユニット１０、循環ポンプ３５、第１混合弁４３ａ、第２混合弁４３ｂ、注水弁４７、放熱側循環ポンプ５５、および負荷側循環ポンプ６５の動作を制御する。
【００２０】
給湯機本体９０を構成する上述の構成部材のうち、給水管路３０、加熱用循環管路４０、給湯管路５０、および負荷側循環管路７０をそれぞれ除いた残りの構成部材は、給湯機本体９０内に納められている。給水管路３０、加熱用循環管路４０、給湯管路５０、および負荷側循環管路７０の各々は、その一部が給湯機本体９０の外部にまで延在している。
【００２１】
給湯機本体９０での本体側制御装置８０と通信する各リモートコントローラ１００Ａ，１００Ｂは、指令や情報等を入力するための操作部９１、および該操作部９１から入力された指令や情報等を文字、図形、キャラクタ等の視覚情報にして表示する表示部９３等を有しており、操作部９１から入力された上記の指令や情報等を給湯機本体９０、具体的には本体側制御部８０ａに送る。また、各リモートコントローラ１００Ａ，１００Ｂは、給湯機本体９０から運転状況等の情報を受信して、該情報を表示部９３に表示する。これらのリモートコントローラ１００Ａ，１００Ｂは、インターホン機能により互いに双方向通話することができる。例えば、一方のリモートコントローラは浴室に設置され、他方のリモートコントローラは台所等に設置される。
【００２２】
上述の各構成部材を備えた給湯機１１０では、例えばユーザがリモートコントローラ１００Ａまたはリモートコントローラ１００Ｂから入力した沸上げ開始時刻になると、本体側制御装置８０による制御の下にヒートポンプユニット１０および循環ポンプ３５が起動されて沸上げ運転が開始され、第１温度センサ３３の検出結果から所定沸上げ温度の湯が貯湯タンク２０に所定量貯留されたと判断されるまで継続される。この間、貯湯タンク２０の下部から加熱用循環管路４０に低温水が流入し、ヒートポンプユニット１０で湯に沸き上げられて貯湯タンク２０の上部から該貯湯タンク２０に戻される。
【００２３】
ユーザが給湯栓１６０を開けると、給湯栓１６０が開いたことが例えば第３給湯管部５０ｃに設けられたセンサ（図示せず）によって検出され、給湯運転が開始される。この給湯運転では、本体側制御装置８０による制御の下に第２混合弁４３ｂでの第１給湯管部５０ａ側の弁開度および第３給水管部３０ｃ側の弁開度がそれぞれ調整されて、所定の給湯温度に調製された湯が給湯栓１６０から出湯する。
【００２４】
また、ユーザがリモートコントローラ１００Ａまたはリモートコントローラ１００Ｂから湯張り運転開始指令を入力すると、湯張り運転が開始される。本体側制御装置８０による制御の下に注水弁４７が開弁すると共に、第１混合弁４３ａでの第１給湯管部５０ａ側の弁開度および第２給水管部３０ｂ側の弁開度が第２温度センサ４５の検知結果に基づいて本体側制御装置８０により調整され、所定湯張り温度の湯が第２給湯管部５０ｂから負荷側循環管路７０の往き管７０ａと戻り管７０ｂへと流れて浴槽１５０に流入する。流量センサ４９の検知結果が湯張り湯量に達すると、本体側制御装置８０による制御の下に注水弁４７が閉弁して湯張り運転が終了する。
【００２５】
ユーザがリモートコントローラ１００Ａまたはリモートコントローラ１００Ｂから追焚き運転開始指令を入力すると、本体側制御装置８０による制御の下に放熱側循環ポンプ５５および負荷側循環ポンプ６５がそれぞれ起動されて追焚き運転が開始される。貯湯タンク２０に貯留されている湯が放熱側循環管路６０に流入する一方で浴槽１５０内の浴槽１５０ａが負荷側循環管路７０に流入し、放熱側循環管路６０を流れる湯と負荷側循環管路７０を流れる浴水１５０ａとの間で再加熱用熱交換器７５により熱交換が行われて浴水１５０ａが加熱（追焚き）され、該加熱された浴水１５０ａが負荷側循環管路７０の戻り管７０ｂから浴槽１５０に戻される。この追焚き運転は、例えば戻り管７０ｂに配置された温度センサ（図示せず）の検出結果から浴槽１５０内の浴水１５０ａが所定温度にまで加熱されたと判断されるまで継続される。
【００２６】
上述した各運転を行う給湯機１１０は、リモートコントローラ１００Ａ，１００Ｂの構成および機能に特徴を有している。リモートコントローラ１００Ｂの構成および機能はリモートコントローラ１００Ａの構成および機能と同じであるので、以下、リモートコントローラ１００Ａの構成および機能を図２および図３を参照して説明する。
【００２７】
図２は、図１に示した給湯機を構成している給湯機用リモートコントローラ（リモートコントローラ）の外観を概略的に示す正面図である。同図に示すリモートコントローラ１００Ａは、給湯機本体９０（図１参照）との通信、給湯機本体９０と通信する他のリモートコントローラ１００Ｂ（図１参照）とのインターホン機能による双方向通話、およびインターホン機能の保留が可能なものであり、操作部９１、表示部９３、送話部９５ａ、およびスピーカ部９５ｂ等を備えている。
【００２８】
上記の操作部９１は、リモートコントローラ１００Ａから本体側制御装置８０（図１参照）に送る前述の指令や情報を入力するための複数の入力スイッチにより構成された設定スイッチ群９１ａと、リモートコントローラ１００Ｂとの双方向通話を開始する際等に操作される呼出スイッチ９１ｂと、スピーカ部９５ｂの音量を変更する音量変更スイッチ９１ｃとを有している。
【００２９】
これらのスイッチのうちの呼出スイッチ９１ｂは、リモートコントローラ１００Ａのインターホン機能が保留状態ではないときに通常操作されると、双方向通話の開始を求める通話要求をリモートコントローラ１００Ｂ宛に送信することを指示する通話要求入力スイッチとして機能する。後述する通話要求報知部が報知動作を行っていないときに特殊操作されると、あるいは通話要求報知部が報知動作を行っているときに通常操作されると、リモートコントローラ１００Ａのインターホン機能の保留を指示する保留指示入力スイッチとして機能する。さらには、リモートコントローラ１００Ａのインターホン機能が保留状態のときに操作されると、当該保留状態を解除する保留解除入力スイッチとして機能する。なお、上記の「通常操作」と「特殊操作」とは、例えば操作時間が予め定められた時間以下のときには通常操作、操作時間が予め定められた時間を超えるときには特殊操作といったように、操作形態により区分される。
【００３０】
一方、前述の設定スイッチ群９１ａを構成する各入力スイッチ、および音量変更スイッチ９１ｃは、後述する通話要求報知部が報知動作を行っているときに操作されると、リモートコントローラ１００Ａのインターホン機能の保留を指示する保留指示入力スイッチとしても機能する。リモートコントローラ１００Ａでは、いずれかの保留指示入力スイッチによりインターホン機能の保留が指示されると、インターホン機能が保留状態にされると共に、インターホン機能が保留状態にあることを示す保留通知がリモートコントローラ１００Ｂに送信される。
【００３１】
表示部９３は、例えば液晶表示パネル等のフラットディスプレイパネルを用いて構成されて、ユーザが操作部９１から入力した指令や情報、給湯機本体９０（図１参照）での各種の設定状態（例えば沸上げ温度、運転時間、浴槽１５０（図１参照）への湯張り湯量等）を文字、図形、キャラクタ等で視覚表示する。また、上述の通話要求入力スイッチ（呼出スイッチ９１ｂ）によりリモートコントローラ１００Ｂへの通話要求の送信が指示されたときには、該通話要求の送信が指示されたことを所定の視覚表示により報知する。同様に、リモートコントローラ１００Ｂから通話要求があったときにも、該通話要求があったことを所定の視覚表示により報知する。
【００３２】
さらには、上述の保留指示入力スイッチからリモートコントローラ１００Ａでのインターホン機能の保留が指示されたときには、該リモートコントローラ１００Ａのインターホン機能が保留状態にあることを視覚表示により報知し、リモートコントローラ１００Ｂから保留通知があったときには、リモートコントローラ１００Ｂのインターホン機能が保留状態にあることを視覚表示により報知する。図示の例では、上記の視覚表示ＶＲとして、所定の色で囲まれた「保留」の文字が示されている。当該視覚表示ＶＲは、リモートコントローラ１００Ａおよびリモートコントローラ１００Ｂのどちらのインターホン機能が保留にあるかに拘わらず同一の表示とすることもできるし、リモートコントローラ毎に異なる表示とすることもできる。
【００３３】
上述のように動作する表示部９３は、通話要求入力スイッチ（呼出スイッチ９１ｂ）によりリモートコントローラ１００Ｂへの通話要求の送信が指示されたこと、およびリモートローラ１００Ｂから通話要求があったことを報知する通話要求報知部として機能する。また、リモートコントローラ１００Ａのインターホン機能が保留状態にあること、およびリモートローラ１００Ｂのインターホン機能が保留状態にあることを報知する保留報知部としても機能する。
【００３４】
送話部９５ａは、リモートコントローラ１００Ｂとの通話時にリモートコントローラ１００Ａ側のユーザが発した音声を電気信号に変換し、スピーカ部９５ｂは、リモートコントローラ１００Ｂとの通話時に該リモートコントローラ１００Ｂから送信されてきた音声信号に基づいて音声を再生する。また、スピーカ部９５ｂは、通話要求入力スイッチ（呼出スイッチ９１ｂ）によりリモートコントローラ１００Ｂへの通話要求の送信が指示されたときに所定の音、メロディ、合成音声等を再生して、当該通話要求の送信が指示されたことを報知する。同様に、リモートコントローラ１００Ｂから通話要求があったときにも所定の音、メロディ、合成音声等を再生して、当該通話要求があったことを報知する。
【００３５】
さらには、前述の保留指示入力スイッチからリモートコントローラ１００Ａでのインターホン機能の保留が指示されたときには所定の音、メロディ、合成音声等を再生して、当該リモートコントローラ１００Ａのインターホン機能が保留状態にあることを報知し、リモートコントローラ１００Ｂから保留通知があったときには所定の音、メロディ、合成音声等を再生して、当該リモートコントローラ１００Ｂのインターホン機能が保留状態にあることを報知する。インターホン機能が保留状態にあることを報知する音、メロディ、合成音声等は、リモートコントローラ１００Ａおよびリモートコントローラ１００Ｂのどちらのインターホン機能が保留状態にあるかに拘わらず同一の音、メロディ、合成音声等とすることもできるし、リモートコントローラ毎に異なる音、メロディ、合成音声等とすることもできる。スピーカ部９５ｂは、上述した表示部９３と同様に、通話要求報知部として機能すると共に保留報知部としても機能する。
【００３６】
図３は、図２に示した給湯機用リモートコントローラ（リモートコントローラ）を概略的に示す機能ブロック図である。同図に示すよう、リモートコントローラ１００Ａは、上述した操作部９１、表示部９３、送話部９５ａ、およびスピーカ部９５ｂの他に、送受信処理部９６とリモート側制御部９７と記憶部９８とを備えている。図３においては、送話部９５ａとスピーカ部９５ｂとをまとめて音入出力部９５としている。図３に示した構成要素のうちで既に図２を参照して説明した構成要素については、図２で用いた参照符号と同じ参照符号を付してその説明を省略する。
【００３７】
上記の送受信処理部９６は、給湯機本体９０への指令や情報の送信に係る処理、給湯機本体９０から送られてくる運転状況等の情報の受信に係る処理、リモートコントローラ１００Ｂ（図１参照）への通話要求、保留通知、音声信号等の送信に係る処理、およびリモートコントローラ１００Ｂから送られてくる通話要求、保留通知、音声信号等の受信に係る処理を行う。
【００３８】
リモート側制御部９７は、操作部９１からの入力内容や送受信処理部９６の受信内容等に応じて、表示部９３、スピーカ部９５ｂ、および送受信処理部９６の動作を制御する。そのために、当該リモート側制御部９７は、入力処理部９７ａ、表示制御部９７ｂ、通信管理部９７ｃ、通話要求制御部９７ｄ、保留制御部９７ｅ、および通話管理部９７ｆを有している。
【００３９】
上記の入力処理部９７ａは、操作部９１から入力された指令や情報等のうち、給湯機本体９０への指令や情報に係るものは通信管理部９７ｃに送り、インターホン機能の保留やリモートコントローラ１００Ｂとの通話に係るものは表示制御部９７ｂ、通話要求制御部９７ｄ、保留制御部９７ｅ、または通話管理部９７ｆに送る。また、送受信処理部９６が受信した信号や情報等のうち、給湯機本体９０から受信したものは通信管理部９７ｃに送り、リモートコントローラ１００Ｂから受信したものは表示制御部９７ｂ、通話要求制御部９７ｄ、保留制御部９７ｅ、または通話管理部９７ｆに送る。
【００４０】
表示制御部９７ｂは、通信管理部９７ｃ、通話要求制御部９７ｄ、保留制御部９７ｅ、または通話管理部９７ｆの制御の下に表示部９３の動作を制御して、文字、図形、キャラクタ等の視覚表示を表示部９３に行わせる。
【００４１】
通信管理部９７ｃは、給湯機本体９０へ送信すべき指令や情報が入力処理部９７ａから送られてきたときには、送受信処理部９６の動作を制御して当該指令や情報に対応する信号を給湯機本体９０宛に送信させる。また、送受信処理部９６が給湯機本体９０から情報データを受信したときには、該情報データに対応した視覚表示を表示部９３が行うように表示制御部９７ｂの動作を制御する。
【００４２】
通話要求制御部９７ｄは、送受信処理部９６と共に通話要求管理部ＲＭを構成する。この通話要求制御部９７ｄは、通話要求入力スイッチ（呼出スイッチ９１ｂ；図２参照）により通話要求の送信が指示されて入力処理部９７ａから所定の信号が送られてきたときには、送受信処理部９６の動作を制御してリモートローラ１００Ｂ宛の通話要求を当該送受信処理部９６に送信させる。
【００４３】
また、通話要求制御部９７ｄは、通話要求したことが表示部９３での視覚表示により報知されるように表示制御部９７ｂの動作を制御すると共に、上記通話要求したことを報知する音、メロディ、合成音声等がスピーカ部９５ｂから再生されるように該スピーカ部９５ｂの動作を制御する。そして、リモートコントローラ１００Ｂとの双方向通話が開始されると、表示部９３およびスピーカ部９５ｂそれぞれの報知動作を終了させる。
【００４４】
また、通話要求制御部９７ｄは、リモートコントローラ１００Ｂから通話要求があったときに該通話要求があったことが表示部９３での視覚表示により報知されるように表示制御部９７ｂの動作を制御すると共に、上記通話要求があったことを報知する音、メロディ、合成音声等がスピーカ部９５ｂから再生されるように該スピーカ部９５ｂの動作を制御する。そして、リモートコントローラ１００Ｂとの双方向通話が開始されると、表示部９３およびスピーカ部９５ｂそれぞれの報知動作を終了させる。なお、通話要求したことや通話要求があったことを報知する音、メロディ、合成音声等の楽音データは、例えば給湯機１１０（図１参照）のメーカにより記憶部９８に予め格納される。
【００４５】
保留制御部９７ｅは、送受信処理部９６と共に保留管理部ＨＭを構成する。この保留制御部９７ｅは、前述した保留指示入力スイッチによりリモートコントローラ１００Ａでのインターホン機能の保留が指示されて入力処理部９７ａから所定の信号が送られてきたときには、インターホン機能を保留状態にすると共に、送受信処理部９６の動作を制御してインターホン機能が保留状態にあることを示す保留通知をリモートローラ１００Ｂ宛に送信させる。
【００４６】
また、保留制御部９７ｅは、リモートコントローラ１００Ａでのインターホン機能を保留状態にしたときに、インターホン機能が保留状態にあることが表示部９３での視覚表示により報知されるように表示制御部９７ｂの動作を制御すると共に、インターホン機能が保留状態にあることを報知する音、メロディ、合成音声等がスピーカ部９５ｂから再生されるように該スピーカ部９５ｂの動作を制御する。そして、リモートコントローラ１００Ａのインターホン機能が保留状態にあるときに操作部９１中の保留解除入力スイッチ（呼出スイッチ９１ｂ）が操作されると、インターホン機能の保留状態を解除すると共に、表示部９３およびスピーカ部９５ｂそれぞれの報知動作を終了させる。さらには、送受信処理部９６の動作を制御して、リモートコントローラ１００Ａでのインターホン機能の保留が解除されたことを知らせる保留解除通知をリモートコントローラ１００Ｂ宛に送信させる。勿論、保留開始から所定時間経過後に保留制御部９７ｅがインターホン機能の保留状態を自動的に解除して、保留解除通知をリモートコントローラ１００Ｂ宛に送信するようにリモートコントローラ１００Ａを構成することもできる。
【００４７】
また、保留制御部９７ｅは、リモートコントローラ１００Ｂから保留通知があったときに、リモートコントローラ１００Ｂのインターホン機能が保留状態にあることが表示部９３での視覚表示により報知されるように表示制御部９７ｂの動作を制御すると共に、リモートコントローラ１００Ｂのインターホン機能が保留状態にあることを報知する音、メロディ、合成音声等がスピーカ部９５ｂから再生されるように該スピーカ部９５ｂの動作を制御する。リモートコントローラ１００Ｂでのインターホン機能の保留状態が解除されて該リモートコントローラ１００Ｂから保留解除通知があると、表示部９３およびスピーカ部９５ｂそれぞれの報知動作を終了させる。なお、リモートコントローラ１００Ａ，１００Ｂのインターホン機能が保留状態にあることを報知する音、メロディ、合成音声等の楽音データは、例えば給湯機１１０のメーカにより記憶部９８に予め格納される。
【００４８】
通話管理部９７ｆは、リモートコントローラ１００Ｂとの双方向通話時に送話部９５ａ、スピーカ部９５ｂ、および送受信処理部９６の動作を制御して、送話部９５ａが作り出した音声信号を送受信処理部９６からリモートコントローラ１００Ｂ宛に送信させると共に、送受信処理部９６がリモートコントローラ１００Ｂから受信した音声信号に対応する音声をスピーカ部９５ｂに再生させる。双方向通話が可能な時間を予め固定して通話管理部９７ｆが双方向通話に係る処理を制御するようにリモートコントローラ１００Ａを構成することもできるし、操作部９１中の所定のスイッチが操作されたときに通話管理部９７ｆが双方向通話に係る処理を終了するようにリモートコントローラ１００Ａを構成することもできる。
【００４９】
図４は、図１に示した給湯機での２台のリモートコントローラ間で行われる双方向通話時の処理の一例を概略的に示すシーケンス図である。同図に示す例は、台所にいる家人が浴室にいる入浴者に会話を求める際の例であり、給湯機１１０（図１参照）を構成する２台のリモートコントローラ１００Ａ，１００Ｂのうちのリモートコントローラ１００Ａが浴室に設置され、リモートコントローラ１００Ｂが台所に設置されている。なお、既に説明したように、リモートコントローラ１００Ｂはリモートコントローラ１００Ａと同じ構成および機能を有しているので、以下では、図２または図３で用いた参照符号をリモートコントローラ１００Ａ，１００Ｂの各々についての説明の中で適宜引用する。
【００５０】
入浴者は、リモートコントローラ１００Ｂから通話要求がなくても、自分の好みでリモートコントローラ１００Ａのインターホン機能を保留状態にすることができる。例えばシャワーやシャンプーが終わるまでリモートコントローラ１００Ａのインターホン機能を保留状態にしたいときには、呼出スイッチ９１ｂ（図２参照）を特殊操作（長押し等）することでリモートコントローラ１００Ａのインターホン機能を保留状態にすることができる。シャワーやシャンプーが終わった後に保留解除入力スイッチ（呼出スイッチ９１ｂ）を操作すれば、インターホン機能の保留状態が解除される。リモートコントローラ１００Ａのインターホン機能の保留状態が解除されれば、リモートコントローラ１００Ｂとの双方向通話が可能になる。
【００５１】
そのため、図示の例でのリモートコントローラ１００Ａでは、保留指示入力スイッチからインターホン機能の保留が指示されたか否かを保留制御部９７ｅ（図３参照）が判断するステップＳ１００が最初に行われる。このステップＳ１００でインターホン機能の保留が指示されていないと判断されたときには後述のステップＳ１１０に進み、インターホン機能の保留が指示されたと判断されたときにはステップＳ１０１〜Ｓ１０４を行う。
【００５２】
ステップＳ１０１では、保留管理部ＨＭ（図３参照）がリモートコントローラ１００Ａのインターホン機能を保留状態にすると共に、該インターホン機能が保留状態にあることを示す保留通知ＨＡをリモートコントローラ１００Ｂ宛に送信する。すなわち、保留制御部９７ｅがリモートコントローラ１００Ａのインターホン機能を保留状態にすると共に、送受信処理部９６（図３参照）の動作を制御して上記の保留通知ＨＡをリモートコントローラ１００Ｂ宛に送信させる。
【００５３】
ステップＳ１０２では、リモートコントローラ１００Ａのインターホン機能が保留状態にあることが表示部９３での視覚表示により報知されるように、保留制御部９７ｅが表示制御部９７ｂ（図３参照）の動作を制御する。また、リモートコントローラ１００Ａのインターホン機能が保留状態にあることを報知する音、メロディ、合成音声等がスピーカ部９５ｂ（図３参照）から再生されるように、保留制御部９７ｅが当該スピーカ部９５ｂの動作を制御する。
【００５４】
ステップＳ１０３では、操作部９１中の保留解除入力スイッチが操作されたか否かを保留制御部９７ｅが判断し、保留解除入力スイッチが操作されていないと判断されたときには当該ステップＳ１０３を繰り返す。一方、保留解除入力スイッチが操作されたと判断されたときにはステップＳ１０４に進んで、保留制御部９７ｅがリモートコントローラ１００Ａでのインターホン機能の保留状態を解除すると共に表示部９３およびスピーカ部９５ｂの報知動作を終了させ、さらには送受信処理部９６の動作を制御して、リモートコントローラ１００Ａでのインターホン機能の保留が解除されたことを知らせる保留解除通知ＡＡをリモートコントローラ１００Ｂ宛に送信させる。この後、ステップＳ１１０に進む。
【００５５】
一方、台所に設置されているリモートコントローラ１００Ｂでは、リモートコントローラ１００Ａから保留通知ＨＡがあったか否かを保留制御部９７ｅが判断するステップＳ２００が最初に行われる。このステップＳ２００で保留通知ＨＡがないと判断されたときには後述のステップＳ２１０に進み、保留通知ＨＡがあったと判断されたときにはステップＳ２０１〜Ｓ２０３を行う。
【００５６】
ステップＳ２０１では、リモートコントローラ１００Ａのインターホン機能が保留状態にあることがリモートコントローラ１００Ｂの表示部９３での視覚表示により報知されるように、リモートコントローラ１００Ｂの保留制御部９７ｅが表示制御部９７ｂの動作を制御する。また、リモートコントローラ１００Ａのインターホン機能が保留状態にあることを報知する音、メロディ、合成音声等がリモートコントローラ１００Ｂのスピーカ部９５ｂから再生されるように、リモートコントローラ１００Ｂの保留制御部９７ｅが当該スピーカ部９５ｂの動作を制御する。
【００５７】
ステップＳ２０２では、リモートコントローラ１００Ａでのインターホン機能の保留状態が解除されたか否か、すなわちリモートコントローラ１００Ａから保留解除通知ＡＡがあったか否かをリモートコントローラ１００Ｂの保留制御部９７ｅが判断する。保留状態が解除されていないと判断されたときには当該ステップＳ２０２を繰り返し、保留状態が解除されたと判断されたときにはステップＳ２０３に進んでリモートコントローラ１００Ｂの保留制御部９７ｅが表示部９３およびスピーカ部９５ｂの報知動作を終了させる。この後、ステップＳ２１０に進む。
【００５８】
ステップ２１０では、通話要求入力スイッチ（呼出スイッチ９１ｂ）により通話要求ＴＲの送信が指示されたか否かをリモートコントローラ１００Ｂの通話要求制御部９７ｄ（図３参照）が判断する。このステップＳ２１０で通話要求ＴＲの送信が指示されていないと判断されたときにはステップＳ２００に戻って該ステップＳ２００以降を繰り返し、通話要求ＴＲの送信が指示されたと判断されたときにはステップＳ２２０に進む。
【００５９】
ステップＳ２２０では、リモートコントローラ１００Ｂの通話要求管理部ＲＭ（図３参照）がリモートコントローラ１００Ａに通話要求ＴＲを送信する。すなわち、リモートコントローラ１００Ｂの通話要求制御部９７ｄが送受信処理部９６の動作を制御して、リモートコントローラ１００Ａ宛の通話要求ＴＲを当該送受信処理部９６に送信させる。
【００６０】
次いで行われるステップＳ２３０では、リモートコントローラ１００Ａに通話要求ＴＲを送信したことが表示部９３での視覚表示により報知されるように、リモートコントローラ１００Ｂの通話要求制御部９７ｄが表示制御部９７ｂの動作を制御する。また、上記通話要求ＴＲを送信したことを報知する音、メロディ、合成音声等がスピーカ部９５ｂから再生されるように、リモートコントローラ１００Ｂの通話要求制御部９７ｄが当該スピーカ部９５ｂの動作を制御する。
【００６１】
浴室に設置されているリモートコントローラ１００Ａでは、前述したステップＳ１００またはステップＳ１０３からステップＳ１１０に進むと、リモートコントローラ１００Ｂから通話要求ＴＲがあったか否かを通話要求制御部９７ｄが判断する。このステップＳ１１０で通話要求ＴＲがないと判断されたときにはステップＳ１００に戻って該ステップＳ１００以降を繰り返し、通話要求ＴＲがあったと判断されたときにはステップＳ１２０に進む。
【００６２】
ステップＳ１２０では、リモートコントローラ１００Ｂから通話要求ＴＲがあったことが表示部９３での視覚表示により報知されるように、リモートコントローラ１００Ａの通話要求制御部９７ｄが表示制御部９７ｂの動作を制御する。また、上記通話要求ＴＲがあったことを報知する音、メロディ、合成音声等がスピーカ部９５ｂから再生されるように、リモートコントローラ１００Ａの通話要求制御部９７ｄが当該スピーカ部９５ｂの動作を制御する。
【００６３】
次いで行われるステップＳ１３０では、保留指示入力スイッチ（設定スイッチ群９１ａを構成する各入力スイッチ、呼出スイッチ９１ｂ、または音量変更スイッチ９１ｃ；図２参照）からリモートコントローラ１００Ａでのインターホン機能の保留が指示されたか否かを保留制御部９７ｅが判断する。このステップＳ１３０でインターホン機能の保留が指示されていないと判断されたときには後述のステップＳ１４０に進み、インターホン機能の保留が指示されたと判断されたときにはステップＳ１３１〜Ｓ１３４を行う。
【００６４】
ステップＳ１３１では、前述したステップＳ１０１での処理と同様の処理が行われて、リモートコントローラ１００Ａのインターホン機能が保留状態にされると共に保留通知ＨＡがリモートコントローラ１００Ｂ宛に送信される。また、ステップＳ１３２では、前述したステップＳ１０２での処理と同様の処理が行われて、リモートコントローラ１００Ａのインターホン機能が保留状態にあることがリモートコントローラ１００Ａの表示部９３およびスピーカ部９５ｂにより報知される。
【００６５】
そして、ステップＳ１３３では、前述したステップＳ１０３での判断と同様の判断が行われ、保留解除入力スイッチが操作されていないと判断されたときには当該ステップＳ１３３を繰り返す。一方、保留解除入力スイッチが操作されたと判断されたときには、前述したステップＳ１０４におけるのと同様に、リモートコントローラ１００Ａの保留制御部９７ｅがリモートコントローラ１００Ａでのインターホン機能の保留状態を解除すると共に表示部９３およびスピーカ部９５ｂの報知動作を終了させ、さらには送受信処理部９６の動作を制御して、リモートコントローラ１００Ａでのインターホン機能の保留が解除されたことを知らせる保留解除通知ＡＡをリモートコントローラ１００Ｂ宛に送信させる。この後、ステップＳ１４０に進む。
【００６６】
台所に設置されているリモートコントローラ１００Ｂでは、前述したステップＳ２３０からステップＳ２４０に進むと、リモートコントローラ１００Ａから保留通知ＨＡがあったか否かを保留制御部９７ｅが判断する。このステップＳ２４０で保留通知ＨＡがないと判断されたときには後述のステップＳ２５０に進み、保留通知ＨＡがあったと判断されたときにはステップＳ２４１〜Ｓ２４３を行う。
【００６７】
ステップＳ２４１では、前述したステップＳ２０１での処理と同様の処理が行われて、リモートコントローラ１００Ａのインターホン機能が保留状態にあることがリモートコントローラ１００Ｂの表示部９３およびスピーカ部９５ｂにより報知される。また、ステップＳ２４２では、前述したステップＳ２０２での判断と同様の判断が行われ、リモートコントローラ１００Ａでのインターホン機能の保留状態が解除されていないと判断されたときには当該ステップＳ２４２を繰り返し、保留状態が解除されたと判断されたときにはステップＳ２４３に進む。ステップＳ２４３では、前述したステップＳ２０３におけるのと同様に、リモートコントローラ１００Ｂの保留制御部９７ｅが表示部９３およびスピーカ部９５ｂの報知動作を終了させる。この後、ステップＳ２５０に進む。
【００６８】
浴室に設置されたリモートコントローラ１００ＡがステップＳ１４０に進み、かつ台所に設置されたリモートコントローラ１００ＢがステップＳ２５０に進むと、リモートコントローラ１００Ａとリモートコントローラ１００Ｂとの間での双方向通話が可能になる。リモートコントローラ１００Ａでは、通話管理部９７ｆの制御の下に送話部９５ａ（図２参照）、スピーカ部９５ｂ、および送受信処理部９６が動作して、送話部９５ａが作り出した音声信号ＶＳを送受信処理部９６からリモートコントローラ１００Ｂ宛に送信する一方で、送受信処理部９６がリモートコントローラ１００Ｂから受信した音声信号ＶＳに対応する音声をスピーカ部９５ｂが再生する。同様に、リモートコントローラ１００Ｂでは、通話管理部９７ｆの制御の下に送話部９５ａ、スピーカ部９５ｂ、および送受信処理部９６が動作して、送話部９５ａが作り出した音声信号ＶＳを送受信処理部９６からリモートコントローラ１００Ａ宛に送信する一方で、送受信処理部９６がリモートコントローラ１００Ａから受信した音声信号ＶＳに対応する音声をスピーカ部９５ｂが再生する。
【００６９】
この後、リモートコントローラ１００ＡではステップＳ１５０に進み、リモートコントローラ１００Ｂとの双方向通話が終了したか否かを通話管理部９７ｆ（図３参照）が判断する。このステップＳ１５０で通話が終了していないと判断されたときには当該ステップＳ１５０を繰り返し、通話が終了したと判断されたときには処理を終了する。同様に、リモートコントローラ１００ＢではステップＳ２６０に進み、リモートコントローラ１００Ａとの双方向通話が終了したか否かを通話管理部９７ｆが判断する。このステップＳ２６０で通話が終了していないと判断されたときには当該ステップＳ２６０を繰り返し、通話が終了したと判断されたときには処理を終了する。
【００７０】
既に説明したように、双方向通話が可能な時間を予め固定して通話管理部９７ｆが双方向通話に係る処理を制御するように各リモートコントローラ１００Ａ，１００Ｂを構成することもできるし、操作部９１中の所定の入力スイッチが操作されたときに通話管理部９７ｆが双方向通話に係る処理を終了するように各リモートコントローラ１００Ａ，１００Ｂを構成することもできる。
【００７１】
上述のようにして双方向通話を行うことができるリモートコントローラ１００Ａ，１００Ｂでは、例えばシャワー中やシャンプー中にリモートコントローラ１００Ｂからリモートコントローラ１００Ａに通話要求があって、入浴者がすぐには返事することができなくても、リモートコントローラ１００Ａの保留指示入力スイッチを操作することにより、リモートコントローラ１００Ａのインターホン機能が保留状態になったことがリモートコントローラ１００Ｂで報知される。入浴者は、会話できない状況にあることを言葉によらずとも通話相手（台所にいる家人）に知らせることができる。このため、台所にいる家人は、入浴者から言葉による返事がなくても入浴者の無事を確認することができる。
【００７２】
したがって、リモートコントローラ１００Ａ，１００Ｂを備えた給湯機１１０（図１参照）によれば、通話相手に事故が起きたのではないかと勘違いして通話先まで直接確認しに行くということが起こり難くなる。また、リモートコントローラ１００Ａ，１００Ｂでは、通話要求を受ける前は呼出スイッチ９１ｂを予め操作してインターホン機能を保留状態とするが、通話要求を受けたときには設定スイッチ群９１ａを構成する各入力スイッチのうちの任意の入力スイッチ、または音量変更スイッチ９１ｃを操作することでインターホン機能を保留状態にすることができるので、不意の通話要求に対してインターホン機能を保留状態にするときに、高い操作性が得られる。
【００７３】
以上、本発明の給湯機用リモートコントローラおよび給湯機について実施の形態を挙げて説明したが、前述のように、本発明は上記の形態に限定されるものではない。本発明の給湯機用リモートコントローラは、給湯機本体と通信する機能、他の給湯機用リモートコントローラとの間で行われるインターホン機能を保留状態にすることができる機能、インターホン機能が保留状態にあることを通話相手のリモートコントローラに知らせる機能、および通話相手のリモートコントローラのインターホン機能が保留状態にあるときにそのことを報知する機能を有していればよく、当該給湯機用リモートコントローラの構成は適宜選定可能である。
【００７４】
例えば、通話要求を送信したことを送信元のリモートコントローラで報知する機能は必須の機能ではなく、当該機能は省略することも可能である。また、通話相手のリモートコントローラに保留通知を送信したことを送信元のリモートコントローラで報知する機能も必須の機能ではないが、インターホン機能を保留状態したことを操作者に自覚させるうえからは、当該機能を付与した方が好ましい。通話要求報知部および保留報知部の各々は、視覚表示と音の少なくとも一方で報知動作を行うものであればよく、視覚表示には表示画面の明滅、およびランプの点灯や点滅等を含ませることができる。音による報知を行えば、ユーザが報知に気付き易くなる。
【００７５】
また、本発明の給湯機は、上述した本発明の給湯機用リモートコントローラを複数台備えていればよく、給湯機用リモートコントローラ以外の構成は適宜変更可能である。例えば、水を湯に沸き上げる熱源機としては、ヒートポンプユニットに代えて、貯湯タンク内に配置されたヒータ、ガス燃焼装置等を用いることもできる。外部負荷設備で用いられる湯水を再加熱する機能を付加するか否かは適宜選択可能である。本発明の給湯機用リモートコントローラおよび給湯機については、上述した以外にも様々な変形、装飾、組み合わせ等が可能である。
【産業上の利用可能性】
【００７６】
本発明の給湯機用リモートコントローラおよび給湯機は、家庭用または業務用の給湯機用リモートコントローラおよび給湯機として用いることができる。
【図面の簡単な説明】
【００７７】
【図１】本発明の給湯機の一例を示す概略図である。
【図２】図１に示した給湯機を構成している給湯機用リモートコントローラの外観を概略的に示す正面図である。
【図３】図２に示した給湯機用リモートコントローラを概略的に示す機能ブロック図である。
【図４】図１に示した給湯機での２台のリモートコントローラ間で行われる双方向通話時の処理の一例を概略的に示すシーケンス図である。
【符号の説明】
【００７８】
１０  ヒートポンプユニット
２０  貯湯タンク
３０  給水管路
４０  加熱循環管路
５０  給湯管路
６０  放熱側循環管路
７０  負荷側循環管路
７５  再加熱用熱交換器
８０  本体側制御装置
９０  給湯機本体
９１  操作部
９１ａ  設定スイッチ群
９１ｂ  呼出スイッチ（通話要求入力スイッチ、保留指示入力スイッチ）
９１ｃ  音量変更スイッチ（保留指示入力スイッチ）
９３  表示部（通話要求報知部、保留報知部）
９５ａ  送話部
９５ｂ  スピーカ部（通話要求報知部、保留報知部）
９６  送受信処理部
９７  リモート側制御部
９７ａ  入力処理部
９７ｂ  表示制御部
９７ｃ  通信管理部
９７ｄ  通話要求制御部
９７ｅ  保留制御部
９７ｆ  通話管理部
９８  記憶部
１００Ａ，１００Ｂ  リモートコントローラ（給湯機用リモートコントローラ）
１１０  給湯機
ＲＭ  通話要求管理部
ＨＭ  保留管理部
【図１】
2010139228.tif 000003
【図２】
2010139228.tif 000004
【図３】
2010139228.tif 000005
【図４】
2010139228.tif 000006